(57)【要約】【課題】従来の自然科学では、観測出来ない部分、その本質が判らない部分があり、どうにもならない問題点を、総ての本質を理解して解決する方法の提供を課題とする。【解決手段】新しい自然科学が、宇宙の総ての現象・エネルギ・物質を洩れ無く構成出来るものとして、前以て、感知・思考・理解・構成している、宇宙に充満している最小複合粒子、（３０+α）種類の宇宙の構成要素、（５+β）種類の核力などの基本仮定群を使用して、観測出来ない部分が存在する任意の人為的な物象を、その本質を総て理解する事により、その物象の一部を、より良い部分に変更して、その任意の人為的な物象を効率よく使用する方法を提供する。【選択図】図３
2007330063.tif 000002
【特許請求の範囲】
【請求項１】
下記の宇宙の構成要素が平衡状態で存在・作用している宇宙の自然現象の総ての現象・エネルギ・物質を、洩れ無く構成し得るものとして、これに統合して、下記の宇宙の構成要素が人為エネルギで歪まされ不平衡状態で存在・作用している宇宙の人為現象の総ての現象・エネルギ・物質を、洩れ無く構成し得るものとして、第2世代の自然科学が、前以て、前記両者を統合して、感知・思考・理解・構成している、宇宙に充満する最小複合粒子と、この最小複合粒子が構成する（３０+α）種類の宇宙の構成要素と、この最小複合粒子が構成する（5+β）種類の核力と、これらの基本仮定群とが、一般的に言われる遺伝子・遺伝作用と同じように、単純・必然的な決まり事として、常に、同じ動作をして、宇宙の総ての自然現象と人為現象とを統合して構成している事を利用して、観測出来ない部分を有する任意の物象の総ての部分の本質を、上記の最小複合粒子・宇宙の構成要素・核力・基本仮定群を使用して、感知・思考・理解し、その任意の人為的な物象の一部分を、上記の最小複合粒子・宇宙の構成要素・核力・基本仮定群を使用して、前記の理解した本質に合わせたより良い構成に変える事を特徴とする観測出来ない部分を有する任意の人為的な物象をその本質を理解して効率良く使用する方法。
【請求項２】
光学機器において、光・レーザー光の本質と、各部分の本質とを感知・思考・理解する事により、第1段階で、光線の通路に存在する最小複合粒子の一部のみが光線の構成に関与する通常の光線を通常の光源から発生させ、第2段階で、前記の通常の光線を、通常の光線の平行光線にし、第3段階で、前記平行光線の入口と出口とが透明性の良いガラス又はプラスチック製の直方体真空箱である複数の光増量手段を平行な正電極と負電極とで交互に挟んで並べた光増量部を設置し、この光増量部内において、ここに存在する総ての最小複合粒子が、それらの正負電気素片の向きを電界方向に揃えて自転軸として保持し、それらの質量素片に前記自転軸の周りを自転させる事により、前記の通常の光線の平行光線が、この光増量部を通過するに従って、光増量部内に存在する最小複合粒子の総てを偏光の構成に関与させ、通常の光線を総て偏光に変え、同時に、極限にまで光量を増量すると言う、光増量器を実現する事を特徴とする請求項１記載の観測出来ない部分を有する任意の人為的な物象をその本質を理解して効率良く使用する方法。
【請求項３】
電子回路成形における露光工程において、光・レーザー光の本質と、各部分の本質とを感知・思考・理解する事により、露光する光源に、請求項２記載の光増量器を使用し、その光が偏光である事を利用して、光増量部の電界方向の露光の細密精度を向上し、且つ、光路断面積が広く光量が多い事により露光の加工能率を向上させる事を特徴とする請求項1記載の観測出来ない部分を有する任意の人為的な物象をその本質を理解して効率良く使用する方法。
【請求項４】
植物の炭酸同化作用を模倣する為に光源と合成用水槽との組み合わせから成り、合成用水槽内の水に混入された小さな原子間結合が光線による振動で発生する負静電気の作用で原子、又は、より小さな原子間結合に分解し、宇宙の第1基礎エネルギ源の場の位置決め作用を原子間結合の主作用として前記の分解した原子、又は、より小さな原子間結合を大きな原子間結合に結合させる合成装置において、光・レーザー光の本質と、原子間結合の本質と、植物の葉緑素による炭酸同化作用の本質とを感知・思考・理解する事により、分解作用を発生させる光線の光源として、請求項2記載の光増量器を使用し、合成用水槽内に流入させる水に、合成する目的である分子量が大きな原子間結合を遺伝子として混入し、更に、結合させる原子、又は、より小さな原子間結合を分解・発生させる小さな原子間結合を混入し、前記の光増量器から発生する光量が増量された偏光の平行光線を、合成用水槽内の水に照射し、その偏光の波動エネルギで、遺伝子として混入した分子量の大きな原子間結合を、各原子毎に、その原子の固有振動数で振動させ、この固有振動数で、小さな原子間結合に在って分解して結合する原子、又は、より小さな原子間結合を振動させ、この振動で過剰の負静電気を発生させ、発生した負静電気の反撥力で、所要の原子、又は、より小さな原子間結合を分解させ、分解した原子、又は、より小さな原子間結合を、前記遺伝子の近くで、宇宙の基礎エネルギ源の場の歪み量発生・維持の影響に基づく原子間結合の安定化の条件により、上記の位置決め作用を原子間結合の主作用として、遺伝子のクローンである原子間結合に結合させると言う合成作用を実現する事を特徴とする請求項1記載の観測出来ない部分を有する任意の人為的な物象をその本質を理解して効率良く使用する方法。
【請求項５】
請求項４において、澱粉の本質を感知・思考・理解する事により、クローンを発生させる遺伝子として澱粉を使用し、分解・結合して澱粉になる原子を発生させる小さな原子間結合として炭酸ガス等を使用する事により、澱粉を合成する事を特徴とする請求項1記載の観測出来ない部分を有する任意の人為的な物象をその本質を理解して効率良く使用する方法。
【請求項６】
請求項４において、蛋白質の本質を感知・思考・理解する事により、クローンを発生させる遺伝子として蛋白質を使用し、分解・結合して蛋白質になる原子を発生させる小さな原子間結合として炭酸ガス、分子量の小さな窒素化合物、分子量の小さな硫黄化合物などを使用する事により、蛋白質を合成する事を特徴とする請求項1記載の観測出来ない部分を有する任意の人為的な物象をその本質を理解して効率良く使用する方法。
【請求項７】
請求項４において、脂肪の本質を感知・思考・理解する事により、クローンを発生させる遺伝子として脂肪を使用し、分解・結合して脂肪になる原子を発生させる小さな原子間結合として炭酸ガス等を使用する事により、脂肪を合成する事を特徴とする請求項1記載の観測出来ない部分を有する任意の人為的な物象をその本質を理解して効率良く使用する方法。
【請求項８】
請求項４において、原子間結合を分解・結合してより大きな原子間結合に結合させる総ての現象・エネルギ・物質の本質を感知・思考・理解し、合成用水槽を合成用液槽、又は、気槽に替え、水の代わりに、水と同じように、分解・結合して合成目的の原子間結合の一部になる液体、又は、気体を使用する事を特徴とする請求項1記載の観測出来ない部分を有する任意の人為的な物象をその本質を理解して効率良く使用する方法。
【請求項９】
宇宙の総ての現象・エネルギ・物質の本質を感知・思考・理解する事により、原子間結合する原子、又は、より小さな原子間結合を小さな原子間結合から分解して大きな原子間結合に結合させる為に、触媒、或いは、高温・高圧・触媒を使用している合成装置の原子間結合の分解・結合の理論と装置とを、第2世代の自然科学の原子間結合エネルギその１、その２、その３の安定化条件による分解・結合の理論に変え、更に、装置を請求項2記載の光増量器が発生する光量を増量された偏光による分解・結合作用を使用する装置に変える事を特徴とする請求項1、２、８記載の観測出来ない部分を有する任意の人為的な物象をその本質を理解して効率良く使用する方法。
【発明の詳細な説明】
【技術分野】
【０００１】
本発明は、観測出来ない部分を有する任意の人為的な物象をその本質を理解して効率よく使用する方法に関するものである。
【０００２】
本明細書では、ニュートンが１７世紀に創出し、観測出来る物象のみを説明する自然科学を第1世代の自然科学と言い、本発明者が２１世紀に創出し、観測出来る物象と観測出来ない物象とを説明する自然科学を第２世代の自然科学と言う。
【０００３】
ここで、現時点では正しいと思われる第2世代の自然科学により、第1世代の自然科学と第2世代の自然科学との違い、自然現象と人為現象との違いを説明する。
【０００４】
第2世代の自然科学によると、宇宙の総ての現象・エネルギ・物質は、宇宙に充満する最小複合粒子と、（３０+α）種類の宇宙の構成要素と、（５+β）種類の核力と、これらの基本仮定群とで、次の2つの条件で、2つに分かれて構成される。
【０００５】
第1の分類では、宇宙の自然現象である総ての現象・エネルギ・物質は、その物象に関連する上記の宇宙の構成要素が総て平衡状態で存在・作用する事を条件にして、宇宙の構成要素からエネルギを供給される第2種永久運動として存在・作用している。
【０００６】
第2の分類では、宇宙のこれまでの人為現象は、これまで、人類は、実際には存在・作用している上記の最小複合粒子、宇宙の構成要素、核力を知らなかったので、宇宙の構成要素の中の宇宙の基礎エネルギ源の場を人為エネルギで不平衡状態に歪ませ、この歪み量をエネルギとして動作している。従って、これまでの人為現象では、宇宙の基礎エネルギ源の場は、第2種永久運動しているが、人為エネルギ分しか作用しない事と、観測出来ない事とにより、第2種永久運動は存在しない事になっている。
【０００７】
しかし、第3の分類では、第2世代の自然科学によると、人為現象でも、自然現象と同じように、その物象に関連する上記の宇宙の構成要素の総てを平衡状態に維持する事が出来れば、宇宙の構成要素である宇宙の基礎エネルギ源の場からエネルギを供給される第2種永久運動になり、第2種永久運動により能率が向上する。特願２００６−１３２０は、この事を、流体現象に限定して利用したものであり、流体は、エネルギの発生触媒・作用触媒・伝播媒体として作用するので、第2種永久運動機関を実現出来て、新エネルギ源になる。本発明は、流体現象を除く全分野に適用されるものであり、任意の物象を、第2種永久運動を利用して、能率を向上出来るが、第2種永久運動機関にはならない。
【０００８】
（重要事項）第2世代の自然科学によると、宇宙の総ての現象・エネルギ・物質は、非生命現象と生命現象との区別無しに、自然現象と人為現象との区別無しに、最小複合粒子と、宇宙の構成要素と、核力と、これらの基本仮定群との組み合わせで、単純・必然的に構成されている。従って、最小複合粒子、宇宙の構成要素、核力、基本仮定群を、単純・必然的な決まり事として作用する遺伝子群と遺伝作用群であると仮定して使用すれば、研究は、実験や観測が不要になり、観測出来る部分を正しく、洩れ無く、付加無く観測出来ていれば、感性・思考力・理解力・構成力のみで処理出来る。必要な実験や観測は、感知・思考・理解を終了して構成した遺伝子と遺伝作用の組み合わせが正しい事を確認する為の確認実験のみになる。
【０００９】
最小複合粒子と、宇宙の構成要素と、核力と、基本仮定群とを、最初に感知・思考・理解・構成する事は極めて困難であるが、本発明者は、準備期間52年と研究期間１６年とを費やして、これらの感知・思考・理解・構成に成功した。運良く、初期の方向付け（第1世代の自然科学と異なる方向）が正しかったので、成功したと思う。尚、経験によると、最小複合粒子、宇宙の構成要素、核力、基本仮定群は、１００％正しく、洩れ無く、付加無く構成されていないと、役に立たない。その理由は、１００％でないと、宇宙の構成要素が作用する場合に必要な平衡流動条件、即ち3次元方向の釣り合いが成立しない事と、宇宙の最優先事項である完全分業体制・完全談合体制・争い0体制が成立しない事とである。そして、その証拠は、９９%では、０％と同じ結果になる事である。自然現象のこの融通の無さが、本発明者が、発明の途中で、他人に説明出来ず、単独先行するしか無かった理由である。
【００１０】
そして、上記の組み合わせが正しい事を実証するには、物的証拠を使えないので、本発明者が行っているように、その組み合わせで、宇宙の総てを統一して説明出来る事と、その組み合わせが広い範囲で実用性を有する事とを示せば良い。この場合、宇宙の総てを統一して説明できる事は、負担には成らず、逆に、有効な手段に成った。その理由は、統一して説明出来る多くの物象の中には、遺伝子と遺伝作用の組み合わせを感知・思考・理解・構成し易いものが有る。この感知・思考・理解・構成し易いものから、感知・思考・理解・構成すれば、単独では感知・思考・理解・構成出来ないものでも、感知・思考・理解・構成出来る事である。
【００１１】
神様が人間を特別扱いされたのは、人間に知能、即ち、感性・思考力・理解力・構成力と、これらを活用出来る人体構造とを与えられた事だけである。これら以外は、人間と自然現象とは、総てが平等である。この知能を、正しく使用する義務と責任がある。
【００１２】
例えば、第2種永久運動である自然界（神様）が、遺伝子と遺伝作用とを単純、必然的な決まり事として作用させる為に構成している、完全分業体制・完全談合体制・争い０体制の３体制に正しく対応する体制を人類社会が採用しないと、人類社会は、本発明と第2世代の自然科学とにより、自然界（神様）から、第2種永久運動の恩恵を受けても、それが原因で新しい激しい争いが増加して、平和で、豊かで、幸せには成れない可能性が大きい。
【００１３】
今、行われている、無用な争いを奨励する市場原理、競争原理、規制緩和、構造改革は、方向が180゜間違っている。ＴＶを見ていると、与党は「人類を幸せにする原理は、競争原理と民主主義である。」と言っている。民主主義は良いが、競争原理は間違っている。
【００１４】
前述・後述の宇宙の構成要素の一つである完全分業体制、完全談合体制、争い0体制の３体制に基づいて相互補完し共存融合すると言う自然法則主義（特願２００６−１３２０の発明の効果の欄に記載）が、間違っている市場原理、競争原理、規制緩和、構造改革に代わる正しい基本理念であり、これによれば、余裕を持って、日本文化に特有の年功序列・終身雇用を実現し、社会を安定出来る。
【背景技術】
【００１５】
本発明者は、子供時代から２００６年に第2世代の自然科学を創出するまでの後述の５２+16年間に、第1世代の自然科学の欠陥を、感知・思考・理解・改善して第2世代の自然科学を創出した。この場合、中学生時代から、第1世代の自然科学の下記の欠陥が気に成り出した。
【００１６】
本発明は、第2世代の自然科学に属し、前述のように、第1世代の自然科学の領域外にある。
（１）人類は、ニュートンが１７世紀に第1世代の自然科学を創出してから現在まで、観測出来る物象のみを扱う第1世代の自然科学が使用する観測結果を数学解析する手法により、最小複合粒子と宇宙の基礎エネルギ源と核力を脱落させた状態で、自然現象を人為的に実用すると共に、宇宙の本質を理解しようと努力して来た。しかし、第1世代の自然科学は、実用面では、第2種永久運動を利用しない範囲内であれば、近似計算式で済み、自然現象の本質の理解が無くても差し支えないので、進歩したが、本質の理解に関しては、最小複合粒子と宇宙の構成要素と核力を脱落しているので、完全に行き詰まっており、且つ、第2種永久運動は存在しないと考えている。実際には、宇宙の自然現象の総てが、第2種永久運動である。
（２）そして、第1世代の自然科学は、この行き詰まりの原因が、第1世代の自然科学が優れた手法であると自負している「観測結果を数学解析する手法」が、下記のように、欠陥を有する事と、更に、数学そのものが欠陥を有する事とであると気付いていない。即ち、第1世代の自然科学は、行き詰まりの原因が、如何に能力が高くても、如何に努力しても、正しい結果を得られる可能性が０であると言う基本ルールの欠陥であると、気付いていない。この永年愛用した自慢の基本ルールを変えないと、進歩出来ない事に気付いていない。
【００１７】
１）「観測結果を数学解析する手法」の欠陥：
第1世代の自然科学が理解していない下記の欠陥がある。
【００１８】
１  第1世代の自然科学は、宇宙には、観測出来る部分と、観測出来ない部分とが
あり、観測結果の数学解析の手法では、観測出来ない部分を扱えない事を正確に理解していない。
【００１９】
正確には、観測出来る部分は、イ．その構成要素が見える物象の場合は、その構成要素の寸法が見える大きさ以上であり、ロ．その構成要素が見えない物象の場合は、その構成要素が不平衡なので観測出来る力、エネルギである部分であり、観測出来ない部分は、イ．その構成要素が見える物象の場合は、その構成要素の寸法が見える大きさ未満であり、ロ．その構成要素が見えない物象の場合は、その構成要素が平衡状態にあって観測出来ない力、エネルギである部分である。
【００２０】
しかし、これらの事を、第1世代の自然科学は、理解していない。特に、如何に大きな力、エネルギであっても、それらが、平衡状態にあって、3次元方向に釣り合っている場合には、観測が不可能であり、それらが、観測結果と、数学解析とから脱落する事を理解していない。その為に、第1世代の自然科学は、平衡状態にあり、3次元方向に釣り合っている最小複合粒子の存在と、同じく、平衡状態にあり、3次元方向に釣り合っている宇宙の基礎エネルギ源の場とを脱落させている。
【００２１】
この観測出来ない部分の脱落が欠陥である。その理由は、宇宙の総てを構成する宇宙の基礎エネルギ源の場は、平衡状態にあって釣り合っている事によってエネルギを発生・維持・作用させており、この平衡状態にあってつりあっている事によってのみ、基礎エネルギ源として作用し得るからである。
【００２２】
即ち、第1世代の自然科学は、宇宙を構成する最も重要な物象であるが平衡状態で釣り合っているので観測出来ない多くの物象を脱落させている。
【００２３】
２  極めて微細であり平衡状態で存在するので観測出来ない最小複合粒子が宇宙に充満している事と、3次元方向に平衡して釣り合っているので観測出来ない宇宙の基礎エネルギ源の場が宇宙を構成している事とを、検討から脱落させる基本ルールを、第1世代の自然科学が採用している。
【００２４】
３  宇宙の基礎エネルギ源は、作用前には、3次元方向に釣り合っているので観測
されず、作用中には、質量の加速度運動を伴った運動量に比例して歪み量を発生し、この歪み量を質量の加速度運動を伴った運動量のエネルギとして供給するので、加速度運動を伴った運動量として観測され、作用後にも、加速度運動を伴った運動量として観測されるので、観測結果の数学解析から、脱落する。第1世代の自然科学は、この脱落に気付かないで、観測結果の数学解析を行っている。
【００２５】
４  宇宙の基礎エネルギ源は、ニュートンの法則には無い「力の作用速度と被作用
質量との相対性」の遺伝子により、被作用質量の速度より速い作用速度を有する力でないと作用出来ない事と、力は加速度運動にしかエネルギを供給しない事を、第1世代の自然科学は、理解していない。これらは、子供時代の滑り台遊びで確認出来る。第1世代の自然科学は、現在、極めて難度が高い研究をしているが、それらの研究の初歩段階での方向付けの確認が抜けている。間違った方向の難度が高い研究は、人員と設備と費用が嵩むだけで、効果０である。
【００２６】
５  数学は、量の変化を扱うので、不平衡な力、エネルギを解析出来るが、平衡状
態で釣り合っている力、エネルギを解析出来ない。この事を、第1世代の自然科学は理解していない。宇宙は、平衡状態で釣り合う事によって、宇宙の基礎エネルギ源の場を構成し、宇宙の総てを第2種永久運動として構成して、永久不変に循環する定常循環宇宙になっている。この事は、前述の特願２００６−１３２０に記載の第2種永久運動機関の実現で実証されている。しかし、数学を使用して宇宙の動作を計算すると、宇宙は、一方向に変化して行く宇宙に成って仕舞い、循環宇宙にならない。要するに、数学を先行させて数学で宇宙を特定する事は間違いである事を、第1世代の自然科学は知らない。
【００２７】
６  観測結果を数学解析する手法の欠陥：
上記１，２，３，４，５の状態で、観測結果を数学解析すると、作用前、作用
中、作用後の総てにおいて、最小複合粒子とその作用と宇宙の基礎エネルギ源の場とその作用とが消えて仕舞うと気付く事が出来ない基本ルール、即ち、観測結果を数学解析する手法を、第1世代の自然科学が採用している。
【００２８】
上記により、観測結果を数学解析する手法を採用している第1世代の自然科学は、観測出来ない物象を扱えず、観測出来る物象のみを、更に、最小複合粒子と基礎エネルギ源とを脱落させて扱う自然科学になっており、第2種永久運動は存在しないとしている。しかし、実際には、最小複合粒子が存在・作用し、宇宙の基礎エネルギ源が存在・作用し、宇宙の総ては第2種永久運動であるので、理論式は実験した範囲のみを近似計算する実験式であり、理論と実態とが一致しないので、広い範囲の統一理論を作れないでいる。
【００２９】
２）数学を使用する事の欠陥：
１  新しい常識：
数学が自然現象を、正しく、洩れ無く、付加無く表現出来る為には、その数学の動作が、単独、又は、組み合わせにより、自然現象の動作と一致している必要がある。例えば、「力の作用速度と被作用質量との相対性」の動作に一致する数学が必要である。そして、一致していても、数学は、自然現象の本質の代理をする事は出来ず、単に、正確な近似計算が出来るだけと考えるべきである。
【００３０】
この条件を満足する数学、又は、幾何学は、加速度運動座標と、回転座標とを複合する複合加速度運動座標系である。
【００３１】
自然現象は、単独、又は、複合して、この複合加速度運動座標系になっている。数学も、自然現象の動作と一致する複合加速度運動座標系を構成している必要がある。
【００３２】
具体的には、第2世代の自然科学は、自然現象の本質とその動作とを、前述・後述の最小複合粒子の基本仮定と、（３０+α）種類の宇宙の構成要素の基本仮定と、（５+β）種類の核力の基本仮定とで構成し、構成した本質とその動作とを、複合加速度運動座標系、又は、その一部で示している。
【００３３】
そして、第2世代の自然科学は、最小複合粒子と宇宙の構成要素と核力とを、これらが平衡状態で存在・作用する事のみを条件にして、単純・必然的な決まり事として作用する宇宙の遺伝子群と遺伝作用群であると考えている。
【００３４】
２  第1世代の自然科学における数学の使い方の欠陥：
上記を知らない第1世代の自然科学は、数学の動作と自然現象の動作との一致を確認しないで、数学を使用している。従って、実験で得られた実験式は、自然現象の本質とは無関係な近似計算式である。
【００３５】
３  又、宇宙の自然現象の総ては、第2種永久運動であるにも関わらず、複合加速度運動座標系を知らない第1世代の自然科学は、第2種永久運動は存在し得ないとしている。
【発明の開示】
【発明が解決しようとする課題】
【００３６】
観測出来ない部分を有する宇宙の総ての物象を正しく感知・思考・理解・構成・使用する為の次の３課題を解決すれば、観測出来ない部分を有する宇宙の総ての物象を正しく、洩れ無く、付加無く感知・思考・理解・構成・使用する事が出来る。
【００３７】
１）  第1の課題：
第1の課題は、全宇宙に存在・作用する、総ての基本仮定群、即ち、総ての遺    
伝子と遺伝作用を、前以て感知・思考・理解・構成して置くと言う課題である。
【００３８】
第1世代の自然科学は、観測結果を数学解析して決める境界条件に作用条件を合わせる事によってのみ成立する自然法則を作り（このようにして作られた自然法則は、法則ではなく実験式である。）、この自然法則（実験式）によって、宇宙の本質を理解しようとしている。従って、第1世代の自然科学は、研究する物象が観測出来ない部分を有する場合には、境界条件を決める事が不可能なので、観測出来ない部分を有する物象を研究出来ない。
【００３９】
宇宙の総ての現象・エネルギ・物質を、観測出来ない部分を含めて広く検討すると、これらは、総てが、第2種永久運動であり、平衡流動エネルギである。そして、宇宙の現象・エネルギ・物質は、境界条件を合わせないと機能しない自然法則に従って動作するのではなく、平衡状態にある事のみを条件にして、最小複合粒子と宇宙の構成要素と核力とで、即ち、決まり事として動作する宇宙の遺伝子と遺伝作用とで、単純・必然的に構成されている。
【００４０】
従って、鼠が猫の首に鈴を付けるように、誰かが、全宇宙に存在・作用する、最小複合粒子と宇宙の構成要素と核力との総てを、前以て感知・思考・理解・構成して置く事に成功すれば、観測出来ない部分を有する宇宙の総ての物象の本質を、容易に、短時間に、効率良く、感知・思考・理解・構成出来る。これが、第1の課題であり、人間の一生を掛け、他の事は放棄し、命を掛けて取り組むべき至難・至高の課題である。本発明者は、前述・後述のように、子供の時からの５２+１６年間を費やして、２００６年に、この第1の課題を解決した。
【００４１】
この課題を解決出来れば、最小複合粒子、宇宙の構成要素、核力を、宇宙の遺伝子と遺伝作用と考えれば、平衡状態が維持されている事のみを条件にして、これらの動作を決まり事として扱う事が出来るので、あらゆる物象の本質を、観測出来る部分を正しく理解出来ていれば、実験を必要としないで、感知・思考・理解・構成・使用出来る。
【００４２】
実用する為に残るのは、鈴の音の聞き方、即ち、これらの使用方法である第2、第3の課題である。
【００４３】
２）  第2の課題：
第2の課題は、観測出来る部分と観測出来ない部分とを有する物象に関して、    
観測出来る部分を構成する総ての遺伝子と遺伝作用の組み合わせを感知・思考・理解・構成し、観測出来ない部分を構成する総ての遺伝子と遺伝作用の組み合わせを感知・思考・理解・構成し、両者を併せて修正・整合して、この物象全体を、正しく、洩れ無く、付加無く構成する総ての遺伝子と遺伝作用の組み合わせを構成すると言う課題である。
【００４４】
この場合に、経験によって必要であると判っている事は、観測出来る部分の既存の観測結果が、観測出来る部分を、正しく、洩れ無く、付加無く示している事である。
【００４５】
従って、研究開発する物象において、第1世代の自然科学が、その範囲内で、正しく、洩れ無く、付加無く、完全であれば、第2世代の自然科学による研究開発は容易であり、直ぐに、完成する。しかし、第1世代の自然科学に、洩れ、付加があれば、その洩れ、付加に気付くまで、第2世代の自然科学は、役に立たない。
【００４６】
第1世代の自然科学の自然科学者は、自分の自然科学が、その範囲内で、正しく、洩れ無く、付加が無ければ、第2世代の自然科学を使用すれば、直ぐに、大きな成果を先取り出来る。本発明は、このケースであり、４ヶ月足らずで、考えるだけで、理論が完成した。
【００４７】
若し、第1世代の自然科学に洩れ、付加があれば、観測出来る部分を、第2世代の自然科学で、見直す必要があり、時間が掛かる。流体による第2種永久運動機関を研究開発した前述の特願２００６−１３２０は、このケースであり、第1世代の自然科学の流体力学に洩れ、付加が多く、且つ、初めての研究開発であり経験が無かったので、遺伝子と遺伝作用との組合せの研究範囲を極限にまで拡げる必要があり、研究開発に１６年かかった。しかし、最初に、最も難しい第2種永久運動機関の開発に取り組んで苦悩したのは、個人的には不幸であったが、人類史から見れば、正解であった。若し、第2世代の自然科学を開発目標にしていれば、永久運動機関の遺伝子と遺伝作用を見落として、結果的に、第2種永久運動機関の研究開発に取り組むチャンスを永久に失っていたと思います。
【００４８】
３）  第3の課題：
第3の課題は、観測出来ない部分を有する物象の本質を総て理解して、その物    
象を、その一部をより良い構成に変えて、効率良く使用する手法を開発すると言う課題である。
【００４９】
本発明の目的は、上記３課題を解決できる観測出来ない部分を有する任意の人為的な物象をその本質を理解して効率よく使用する方法を提供することにある。
【課題を解決するための手段】
【００５０】
下記（１）、（２）、（３）の手段で上記の３課題を解決する。
（１）第1の課題を解決するための手段：
全宇宙に存在・作用する、総ての遺伝子と遺伝作用を、前もって感知・思考・理解・構成して置くと言う第1の課題を解決するための手段は、第2世代の自然科学が示す、最小複合粒子の構造・組成・機能の基本仮定と、（３０+α）種類の宇宙の構成要素の基本仮定と、（５+β）種類の核力の基本仮定とで構成される基本仮定群の内容の粗密さの分布を、目的に合わせて、修正・整合する事である。
【００５１】
上記の基本仮定群は、本発明者が、子供時代からの５２年の準備期間に、１９９０年からの１６年の研究期間を加えて創出した第2世代の自然科学が示すものであり、これらが正しい事は、特願２００６−００１３２０に記載のように、これらを使用して、宇宙の総てを統一して説明出来る事と、第2種永久運動機関を実現出来る事と、本発明を実現出来る事とにより、実証されている。
【００５２】
しかし、新分野の研究開発に使用する場合には、新分野固有の事実に合わせて必要な修正・整合を行う。そして、この修正・整合が、第2世代の自然科学を進歩・発展させる。
【００５３】
以下に、本発明に合わせて修正・整合した基本仮定群である、総ての遺伝子と遺伝作用とを記載する。
【００５４】
１）最小複合粒子の仮定：
１  構造：
最小複合粒子は、前述の複合加速度運動座標系に適合する動作をして、宇宙の総ての現象・エネルギ・物質を構成する遺伝子・遺伝作用になる必要がある。その為に、図1に示すように、最小複合粒子Ａでは、一対の質量素片Ｃ１，Ｃ２と、正負一対の電気素片Ｄ１，Ｄ２とが、一本の線対称軸Ｂを共有して直角に交差して、きわめて微細な球体を構成している。
【００５５】
２  組成：
宇宙の総ての物質を構成する為に、最小複合粒子の組成は、宇宙の総ての物
質の平均組成に一致している。
【００５６】
そして、最小複合粒子の組成は、宇宙の総ての現象・エネルギ・物質を構成し、作用させる為に、最重要な役割を分担する正負の静電気を発生する。
【００５７】
正静電気は、負電気素片に発生する。負静電気は、正電気素片に対向して質量素片に発生する。電子を構成する負電気素片に過剰の正静電気が発生したものが陽電子であり、陽子を構成する質量素片に過剰の負静電気が発生したものが負電荷の陽子である。
【００５８】
これらの組成は、容積を一定に維持して自由に変形する柔軟性があり、或る限界値以上・以下の圧力に対応して可逆的に収縮・復元する。
【００５９】
３  機能：
最小複合粒子は、宇宙の総ての現象・エネルギ・物質の遺伝子であり、前述
・後述の（３０+α）種類の宇宙の構成要素と、（５+β）種類の核力とを構成する。
【００６０】
上記の最小複合粒子と、下記の宇宙の構成要素と、核力とは、平衡状態にある事のみを条件にして、遺伝子と遺伝作用としての決まり事により、単純、必然的に、宇宙の総ての現象・エネルギ・物質を構成している。従って、総ての遺伝子と遺伝作用を、前以て、感知・思考・理解・構成して置く事が出来れば、観測出来ない物象の本質を感知・思考・理解・構成出来る。
【００６１】
２）宇宙の構成要素の仮定：
宇宙の構成要素は、下記の（３０+α）種類がある。αは、増減、修正・整合がある事を示す。
【００６２】
第1世代の自然科学は、観測結果を数学解析して作った自然法則を使用して、宇宙の本質を追求しているが、この自然法則は、前述のように、人間が、主観的に、作ったものであり、欠陥があるので、この自然法則を使用して宇宙の本質を追及するのは、主観的な人間の思い上がりであって、宇宙の本質を理解出来る可能性は０である。
【００６３】
第2世代の自然科学は、宇宙の総ての現象・エネルギ・物質を構成する宇宙の構成要素（これらは、実体が無い自然法則ではなく、実体が在り、平衡状態にある事のみを条件にして、単純・必然的な決まり事として作用する宇宙の遺伝子と遺伝作用と考えられる。）として、下記の（３０+α）種類の宇宙の構成要素を感知・思考・理解・構成して使用している。
【００６４】
本発明の第1の課題は、宇宙の構成要素の仮定を、発明の目的に合わせて、下記のように、内容の粗密を修正・整合する事である。前述の鈴を、修正・整合した鈴に付け替える事である。
【００６５】
１  宇宙の第1基礎エネルギ源の場：
加速度運動座標と回転座標との複合である複合加速度運動座標系の宇宙を構成する為に図1の構造を有して宇宙に充満して自転している最小複合粒子の質量素片が、3次元空間である宇宙の中心を原点にして、各位置毎に、独立して、別個に構成している3次元万有引力の場が、宇宙の第1基礎エネルギ源の場であり、極めて大きいが、３次元方向に平衡状態で釣り合っているので、観測は出来ない。
【００６６】
そして、これは、最も基本的な宇宙の基礎エネルギ源の場であり、宇宙の総ての物質の総ての質量に3次元万有引力の場を、平衡状態で、3次元方向に釣り合わせて、作用させている。この作用は、宇宙の総ての質量に対する位置決め作用を分担し、マクロ的には、加速度運動を伴う運動量に対応して、可逆的に、位置決め作用の歪み量を発生し、この歪み量を、加速度運動を伴う運動量のエネルギとして供給し、ミクロ的には、例えば、素粒子間結合については、この位置決め作用は、最小複合粒子を中性子、陽子、電子、原子に融合する3次元万有引力の核力（縮小している最小複合粒子の粒子間結合力）、原子と原子とを結合する原子間結合力（縮小していない最小複合粒子の粒子間結合力）等を構成する。
【００６７】
宇宙の第1基礎エネルギ源の場は、最も基本的な宇宙の遺伝子であり、遺伝作用である。
【００６８】
宇宙の第1基礎エネルギ源の存在と作用とに気付いたヒントは、子供の時の球突き遊びと滑り台遊びである。数学で考えても永久に判らないが、物象の本質を頭脳で直接的に考えれば感知・思考・理解・構成出来る。但し、前述のように、５２+１６年間掛かった。時間が掛かり過ぎた（初期は、研究の方向付けが正しかったが、途中で研究の方向付けが判らなくなって停滞していた。終期に、研究の方向付けを発見してからは、1年位で完了した。研究の方向付けを発見出来たと思った頃から、殆んど真っ白になっていた白髪が黒くなり始めた。）と言うコンプレックスに悩まされているが、これは、前述のように、大きな成果を得る為に、必要、不可欠な事であった。
【００６９】
２  宇宙の第2基礎エネルギ源の場：
これは、宇宙の第1基礎エネルギ源の場が、流体現象に現れたものである。この場は、光、電流、電磁波などの波動エネルギ、空気や水や燃焼ガスなどの流体の平衡流動エネルギ、圧力のエネルなどを構成するが、観測は出来ない。
【００７０】
宇宙の第2基礎エネルギ源の場は、重要な宇宙の遺伝子であり、遺伝作用である。
【００７１】
３  宇宙の第3基礎エネルギ源の場：
これは、地球の3次元万有引力の場の作用で構成される宇宙の第1、第2基礎エネルギ源の場である。
【００７２】
宇宙の第3基礎エネルギ源の場は、重要な宇宙の遺伝子であり、遺伝作用である。
【００７３】
４  宇宙の電磁力基礎エネルギ源の場：
これは、自転しながら宇宙に充満している最小複合粒子の正負電気素片が、宇宙の各位置毎に、独立して、別個に構成・作用させている複合加速度運動座標系の3次元電磁力の場であり、基礎エネルギ源としては観測出来ない。この3次元電磁力の場からのエネルギの供給によって、電流、電磁波が、第2種永久運動として発生・維持・伝播・作用する。超電導電流が第2種永久運動として存在・作用し、電磁波が、第2種永久運動として宇宙の果てから反対側の宇宙の果てまで伝播するのは、上記による。
【００７４】
宇宙の電磁力基礎エネルギ源の場は、重要な宇宙の遺伝子であり、遺伝作用であるが、詳細は省略する。
【００７５】
５  ミクロ基礎エネルギ源：
上記の宇宙の基礎エネルギ源の場は、エネルギの供給側であって、自分だけでは、場はあるが、質量が無いので、作用出来ない。作用するのは、エネルギを供給する宇宙の基礎エネルギ源の場（質量が無い場）と同じエネルギを常に持って各位置毎に常に存在している最小複合粒子（質量が有る粒子）である。この最小複合粒子が持っているエネルギは、各種の基礎エネルギ源の場が全宇宙の各位置毎に独立して別個に常に構成しているエネルギである。そして、この作用側になる最小複合粒子が、万有引力ミクロ基礎エネルギ源、光ミクロ基礎エネルギ源、電流ミクロ基礎エネルギ源、電磁波ミクロ基礎エネルギ源、熱ミクロ基礎エネルギ源などであり、これらは、万有引力、光、電流、電磁波、熱の最小単位である。この場合、供給側と作用側とを相互作用させる相互作用条件を満たす為に、上記のようにして、作用側のミクロ基礎エネルギ源が、供給側の場と同じエネルギを持っている必要がある。要するに、宇宙の物象は、第2種永久運動であり、平衡流動エネルギであるので、平衡状態で釣り合わないと、エネルギに過不足が発生し、全体の釣り合いが取れないので、エネルギが作用しないと言う事である。この事は、ミクロ現象、マクロ現象の双方で成立する。勿論、本発明で重要な原子間結合でも光の作用でも成立する。
【００７６】
そして、上記のように、波動エネルギが、質量が無い場と質量が有る粒子との組み合わせで構成されている事と、宇宙の総てが、第2種永久運動であり、平衡流動エネルギである事とが、極めて、巧妙、精巧に造られている。
【００７７】
ミクロ基礎エネルギ源は、重要な宇宙の遺伝子であり、遺伝作用であるが、詳細は省略する。
【００７８】
６  最小複合粒子の各素片：
最小複合粒子の各素片が、上記５のミクロ基礎エネルギ源であると考えるのが、即ち、別個に考えるのが都合が良い場合もある。
【００７９】
７  質量：
質量は、加速度運動を伴って移動する事により、エネルギの発生触媒・作用触媒・伝播媒体として作用する。又、質量は、宇宙の第1基礎エネルギ源の場による位置決め作用を受けて、宇宙の総ての現象・エネルギ・物質の発生・維持・伝播・作用に関係する。そして、エネルギとして作用するのは、質量の作用と、場の作用との組み合わせである。第1世代の自然科学は、これらの事を誤解して、質量とエネルギとは同じものだとしている。
【００８０】
質量は、重要な宇宙の遺伝子であり、遺伝作用である。
【００８１】
８  流れ跡空間埋め合わせ現象：
流れ跡空間埋め合わせ現象は、流体の質量を移動させ埋め合わさせて、宇宙の第1基礎エネルギ源の場を可逆的に歪ませる事により、宇宙の総ての流体現象を、第2種永久運動として発生・維持・伝播・作用させる最も基本的な宇宙の構成要素である。流れ跡空間埋め合わせ現象の存在と作用とに気付いたヒントは、子供の時の水遊びである。上記１と共に、７０年以上掛かって、何千回、何万回考えて、これらの本質に辿り着いた事になる。
【００８２】
流れ跡空間埋め合わせ現象は、重要な宇宙の遺伝子であり、遺伝作用であるが、詳細は省略する。
【００８３】
９  最小複合粒子の自転：
最小複合粒子は、その構造・組成・機能により、如何なる状態でも、自由に第2種永久運動としての自転をする。最小複合粒子は、前述の構造・組成・機能を有する事により、自転すると、万有引力の作用と、電磁力の作用とが、共に、前述の加速度運動座標と回転座標とを複合させた複合加速度運動座標系になる。この複合加速度運動座標系の現象・エネルギ・物質には、宇宙の基礎エネルギ源からエネルギが供給されるので、最小複合粒子の自転が発生・維持・伝播・作用させる総ての現象・エネルギ・物質は、総てが、第2種永久運動になる。最小複合粒子の自転が構成する光、電流、電磁波、熱などは第2種永久運動である。
【００８４】
この自転は、重要な宇宙の遺伝子であり、遺伝作用であるが、詳細は省略する。
【００８５】
１０  陽子、中性子、原子、分子の振動：
最小複合粒子は、球形であり球形のままで収縮・復元して、周囲との接合または噛合いが無いので、無条件に自転出来るが、陽子、中性子、原子、分子は、球形ではなく周囲との接合または噛合いがあるので、自転出来ない。
【００８６】
従って、陽子、中性子、原子、分子は、それらを構成する最小複合粒子の自転に基づいて、振動する。この振動は熱振動である。
【００８７】
陽子、中性子、原子、分子の振動には、上記の熱振動の振動数と、陽子、中性子、原子、分子の構造によって決まる固有振動数とがある。
【００８８】
陽子、中性子、原子、分子の振動は、光を発生し、又、逆に、光の波動エネルギによって、陽子、中性子、原子、分子が振動させられる。太陽光は広い範囲の周波数の光を含んでいるので、振動エネルギを陽子、中性子、原子、分子に伝えるが、粒子の振動数は上記の固有振動数になる。そして、これらの振動により、静電気が発生する。前述のように、振動による負静電気の発生量は正静電気の発生量より大きいので、中性子、原子から、電子、叉は、電気エネルギを飛び出させる。この現象は、広い範囲で観測的に知られているが、この現象の上記の本質は未だ知られていない。これら以外にも、光による振動の作用は、植物の炭酸同化作用において、結合している原子の種類による原子間結合力の大きさの差と組んで、特定の組み合わせの原子間結合の分離と結合とを発生させる。
【００８９】
これらの振動は、重要な宇宙の遺伝子であり、遺伝作用であるが、詳細は、最良の形態の欄に後述する。
【００９０】
１１  静電気：
前述のように、負電気素片と質量素片とに正負静電気が発生する。静電気と、静電気の作用とは、宇宙の重要な構成要素であり、遺伝子であり、これらを正しく理解しないと、物象の本質を理解出来ない。これらの作用は、単純・必然的であるので、省略する。
【００９１】
１２  万有引力：
万有引力は、宇宙の重要な構成要素であり、遺伝子である。
【００９２】
１３  位置決め作用：
宇宙の第1基礎エネルギ源の場の位置決め作用は、宇宙の重要な構成要素であり、宇宙の総ての現象・エネルギ・物質の構成に関係し、原子間結合の主要な構成要素であり、遺伝子である。詳細は、最良の形態の欄に後述する。
【００９３】
１４  加速度：
加速度は、第2種永久運動であり、宇宙の重要な構成要素であり、遺伝子である。
【００９４】
１５  力：
力は、第2種永久運動であり、宇宙の重要な構成要素であり、遺伝子である。
【００９５】
１６  圧力：
圧力は、第2種永久運動であり、宇宙の重要な構成要素であり、遺伝子である。
【００９６】
１７  光：
光は、第2種永久運動であり、宇宙の重要な構成要素であり、遺伝子であるが、詳細は、最良の形態の欄に後述する。
【００９７】
１８  電流：
電流は、第2種永久運動であり、宇宙の重要な構成要素であり、遺伝子であるが、詳細は、省略する。
【００９８】
１９  電磁波：
電磁波は、第２種永久運動であり、宇宙の重要な構成要素であり、遺伝子であるが、詳細は、省略する。
【００９９】
２０  電界：
電界は、第2種永久運動であり、宇宙の重要な構成要素であり、遺伝子であるが、詳細は、省略する。
【０１００】
２１  磁界：
磁界は、第2種永久運動であり、宇宙の重要な構成要素であり、遺伝子であるが、詳細は、省略する。
【０１０１】
２２  熱：
熱は、第2種永久運動であり、宇宙の重要な構成要素であり、遺伝子であるが、詳細は、最良の形態の欄に後述する。
【０１０２】
２３  加速度運動座標と回転座標との複合による複合加速度運動座標系：
これは、宇宙における第2種永久運動の基本的な構成要素であり、宇宙の最も基本的な遺伝子であり、遺伝作用である。
【０１０３】
２４  共存融合の摂理：
宇宙の構成要素は、単独では機能が不足して、現象・エネルギを構成出来ない。複数の宇宙の構成要素が、不足を補い合って共存融合して現象・エネルギを構成する。
【０１０４】
宇宙の第1基礎エネルギ源の場は、総ての共存融合に、位置決め作用の作用源として参加している。
【０１０５】
宇宙の総ての現象・エネルギ・物質は平衡流動エネルギであり第2種永久運動であるので、最小複合粒子と宇宙の構成要素基礎と核力とは、総てが平衡状態にある事を条件にして、共存融合して作用する。
【０１０６】
共存融合の摂理は、宇宙の基本的な遺伝子であり、遺伝作用である。
【０１０７】
２５  完全分業体制・完全談合体制・争い０体制の3体制：
宇宙では、最小複合粒子と、宇宙の構成要素と、核力との総てが、平衡状態で釣り合って作用するために、この3体制を満たしている。この3体制は、基本的な宇宙の遺伝子であり、遺伝作用である。この3体制が崩れると、平衡流動条件、第2種永久運動の独立性、相互作用条件、結合条件の遺伝子が崩れて、宇宙の構成要素が動作しなくなり、宇宙は存続出来ない。
【０１０８】
２６  平衡流動条件：
平衡流動エネルギであり第2種永久運動である宇宙の総ての現象・エネルギ・物質は、その構成要素の総てが平衡流動状態で釣り合っていると言う平衡流動条件を満たして、存在・動作する。平衡流動条件は、宇宙の構成・動作の基本的な遺伝子であり、遺伝作用である。
【０１０９】
２７  第2種永久運動の独立性：
第2種永久運動である宇宙の総ての現象・エネルギ・物質は、第2種永久運動の独立性を満たしている。第2種永久運動の独立性は、宇宙の総ての現象・エネルギ・物質は、宇宙の基礎エネルギ源の場が各位置毎に、独立して、別個に構成・維持・作用させている各種のエネルギのみで、第2種永久運動として構成され作用し得る事を示している。従って、第2種永久運動の独立性は、基本的な宇宙の遺伝子であり、遺伝作用である。
【０１１０】
２８  力の作用速度と被作用質量との相対性：
これは、ニュートンの法則が脱落させている法則であり、力は、その作用速度が、被作用質量の速度より速くないと、その質量に作用出来ないという単純・必然的な事である。宇宙の総ての現象・エネルギ・物質は、その動作において、力の作用速度と被作用質量との相対性を満たしている。これは、力の動作の遺伝子と遺伝作用であり、総ての基礎エネルギ源に、加速度運動に対してのみ、エネルギを供給させる。従って、力の作用速度と被作用質量との相対性は、宇宙の基本的な遺伝子であり、遺伝作用である。
【０１１１】
２９  相互作用条件：
宇宙の総ての現象・エネルギ・物質が、第2種永久運動であり、平衡流動エネルギであるので、複数の平衡流動エネルギ間の相互作用条件の遺伝子と遺伝作用とは、宇宙の最重要遺伝子とその遺伝作用の一つである。この場合、宇宙の各位置における総ての宇宙の基礎エネルギ源の場の夫々の量が一定不変である事と、総ての宇宙の基礎エネルギ源の場の夫々の釣り合いが崩れない事とが最優先される。従って、2つの物象の構成要素が等しい事、2つの物象を構成する総ての宇宙の構成要素基の釣り合いが崩れない事、2つの物象を構成する総ての基礎エネルギ源の場の歪み量の夫々が最小に成る事などが基本的な相互作用条件になる。従って、相互作用条件は、重要な遺伝子であり、遺伝作用である。
【０１１２】
３０  原子間結合条件：
境界条件を合わせないと作用しない自然法則と異なり、平衡状態に在りさえすれば、単純・必然的な決まり事として作用する遺伝子、遺伝作用と考えられる最小複合粒子、宇宙の構成要素、核力が動作して、宇宙の総ての現象・エネルギ・物質が発生・作用しているとの考え方で、既知の原子間結合の総てを調べて見ると、（１）原子間結合のエネルギは、その原子間結合（分子）の全質量に作用する宇宙の第1基礎エネルギ源の場の位置決め作用であり、（２）原子間結合の発生・維持条件は、その原子間結合に関係する宇宙の構成要素、即ち、基礎エネルギ源、質量、電磁力、静電気力、温度、平衡流動エネルギ等の平衡性の有無であり、（３）平衡性があれば結合し、（４）平衡性が無ければ結合しない。その理由は、原子間結合も第2種永久運動であり、平衡流動エネルギである事である。又、（５）原子間結合は、宇宙の第1基礎エネルギ源の場の歪み量が最小になる状態で安定化する。そして、上記の考え方と、上記の最小複合粒子と宇宙の構成要素と下記の核力とで、既知の原子間結合を、あらゆる条件で、統一して説明出来る。本発明の実現は、上記の事項が、総て、正しい事の実証である。
【０１１３】
遺伝子の動作と、遺伝作用の動作とは、宇宙の各位置毎に、独立して、別個に存在・作用する宇宙の構成要素で構成されているので、遺伝子と遺伝作用とを使用して考えれば、上記２９の単純・必然的な相互作用条件さえ維持されていれば、境界条件を気にする必要が無くなるので、多くの遺伝子と遺伝作用の動作を、総て独立して別個に、単純・必然的な決まり事として考える事が出来るので、宇宙の観測出来る部分でも、観測出来ない部分でも、その部分の本質を容易に感知・思考・理解・構成・使用出来る。
【０１１４】
３）核力：
下記の（５+β）種類の核力が、宇宙の遺伝子、遺伝作用として存在・作用
する。
【０１１５】
宇宙の総ての現象・エネルギ・物質は、宇宙の各位置毎に、独立して、別個に存在・作用する最小複合粒子と宇宙の構成要素と核力とで構成されている。
【０１１６】
１  3次元万有引力の核力：
3次元万有引力の核力は、イ．宇宙の第1基礎エネルギ源の場の作用である宇宙の各位置毎の位置決め作用と、ロ．（２）宇宙の中心などで宇宙の第1、第2基礎エネルギ源の場の圧力によって収縮した最小複合粒子間で作用する宇宙の第1基礎エネルギ源の場の3次元万有引力の作用との組み合わせである。
【０１１７】
この場合、収縮した最小複合粒子間で作用する3次元万有引力の核力の大きさは、収縮していない最小複合粒子間の3次元万有引力の大きさに対して、単純な比例計算で収縮率の逆数の7乗倍になる。この7乗倍の考え方は、3次元万有引力の核力のみではなく、（５+β）種類の核力の総てに適用される。この収縮率の逆数の7乗倍を導入すると、ミクロ現象とマクロ現象とを統一して説明出来る。第1世代の自然科学の素粒子物理学が、ミクロ現象の理論とマクロ現象の理論とは統一出来ないとしているのは、間違いである。
【０１１８】
この3次元万有引力の核力は、収縮した最小複合粒子を中性子、陽子、電子に融合させ、更に、中性子、陽子、電子を原子に融合させる際に作用する。
【０１１９】
分子内で、原子と原子とを結合させる力は、収縮していない最小複合粒子が伝える万有引力的・電磁力的、静電気力的な力の組み合わせである。
【０１２０】
3次元万有引力の核力は、宇宙の構成要素であり、宇宙の遺伝子であり、遺伝作用であり、最小複合粒子を中性子、陽子、電子に融合する場合と、中性子、陽子、電子を原子に結合する場合とに作用する。これらの場合、電子の質量は中性子、陽子に比べて小さいので、3次元万有引力の核力の電子に対する作用は小さく、電子は原子から分離し易い。
【０１２１】
２  電磁力の核力：
上記１と同様にして、電磁力の核力は、イ．宇宙の第1基礎エネルギ源の場の作用である宇宙の各位置毎の位置決め作用と、ロ．宇宙の第1、第2基礎エネルギ源の場の圧力によって収縮した最小複合粒子間で作用する宇宙の電磁力基礎エネルギ源の3次元方向の電磁力の場の作用との組み合わせである。
【０１２２】
この3次元方向の電磁力の核力は、中性子、陽子、電子内、及び、中性子、陽子、電子間で作用して、電磁力の3次元方向の平衡状態を作る事により、中性子、陽子、電子内での最小複合粒子の配置・方向と、各原子における中性子、陽子、電子の数と配置・方向とを決める。
【０１２３】
３  1次元万有引力の核力：
これは、上記1の3次元万有引力の核力の作用の結果として存在する1次元万有引力の核力である。これは、3次元万有引力の作用の釣り合いの結果であるので、中性子、陽子、電子内での最小複合粒子の配置・方向と、原子における中性子、陽子、電子の配置・方向とを決める。
【０１２４】
４  静電気による配分核力：
負静電気は、最小複合粒子の質量素片に、正電気素片に対向して発生する。この負静電気は、質量素片と正電気素片との結合を強化するが、質量素片と負電気素片とを反撥させて、負電気素片を飛び出させる。負電気素片を飛び出させた最小複合粒子が融合して陽子を構成する。
【０１２５】
正静電気は、最小複合粒子の負電気素片に発生する。従って、上記の飛び出した正静電気を帯びた負電気素片が融合して電子を構成する。
【０１２６】
これらを、静電気による配分核力と言う。これが、正負等量の電荷を、実在通りに配分している。
【０１２７】
５  静電気による配向核力：
正負静電気の引力と斥力とは、最小複合粒子の素片間と、中性子、陽子、電子間とに作用するので、正負静電気は、中性子、陽子、電子内での最小複合粒子の配置と方向とを決め、原子内での中性子、陽子、電子の配置と方向とを決める。これらを、静電気による配向核力と言う。
【０１２８】
上記の5種類の核力には、共通の基礎エネルギ源が作用しているので、上記の5種類の核力は、総てが、組み合わさって作用する。
【０１２９】
上記が、第2世代の自然科学の基本仮定群であり、宇宙の遺伝子、遺伝作用である最小複合粒子と宇宙の構成要素と核力の説明である。そして、上記によって、宇宙の総ての現象・エネルギ・物質を統一して説明出来、且つ、本発明と、特願２００６−１３２０に記載のように、実用出来るので、正しい事が実証されている。そして、この基本仮定群の充実の程度が、それを保持・使用する個人、大学、企業の第2世代の自然科学の実力の程度になる。
【０１３０】
上記の事項の感知・思考・理解・構成が、後述の最良の形態に合わせて修正・整合した第1の課題を解決するための手段である。
（２）  第2の課題を解決するための手段：
第2の課題は、研究の対象であり、観測出来る部分と観測出来ない部分とを有する物象の観測出来る部分を構成する総ての遺伝子と遺伝作用の組み合わせを感知・思考・理解・構成し、観測出来ない部分を構成する総ての遺伝子と遺伝作用の組み合わせを感知・思考・理解・構成し、両者を併せて修正・整合して、研究対象の物象全体を構成する総ての遺伝子と遺伝作用の組み合わせを、正しく、洩れ無く、付加無く構成すると言う課題である。
【０１３１】
この第2の課題を解決するための手段を、後述の最良の形態に示した、自然現象である植物の炭酸同化作用の一部（光の作用）を、より良い人為的な構成に変更し効率の良い人為的な炭酸同化作用として使用する方法について説明する。
【０１３２】
尚、自然現象より効率が良い人為現象を得る一般的な考え方は、イ．第2種永久運動の独立性を明確にする事であり、ロ．（３０+α）種類の宇宙の構成要素の構成のバラツキを無くし、均一性を向上する事であり、ハ．（３０+α）種類の宇宙の構成要素の3次元方向の釣り合いを良くする事であり、特に、ニ．上記の構成要素の中の平衡流動条件、相互作用条件、結合条件などの平衡性を向上する事である。即ち、単純・必然的な理想形にする事である。
【０１３３】
以下に、具体的に説明する。
【０１３４】
１）  第1に、自然現象である植物の葉緑素による炭酸同化作用に関する既存の知識        
を整理して、構成と理論とを纏めて見る：
纏められたものは、第1世代の自然科学の成果であり、観測出来る部分の構成    
と理論のみで纏められている。そして、観測出来ない部分の構成と理論とは脱落している。
【０１３５】
２）  第2に、上記第1の構成と理論とに、観測出来ない部分の構成と理論を加える        ：
この加える作業は、上記第1の構成と理論とを、第2世代の自然科学の基本仮        
定群、即ち、最小複合粒子、宇宙の構成要素、核力、言い換えると、遺伝子と遺伝作用で説明し直す事で、行われる。
【０１３６】
この場合、第1世代の自然科学が、観測出来る部分内で、正しく、洩れ無く、付加が無ければ、上記の見直したものは、自然現象である植物の葉緑素による炭酸同化作用の総ての本質を正しく、洩れ無く、付加無しに示している。
【０１３７】
第1世代の自然科学に誤りが在っても、遺伝子と遺伝作用による見直しで、修正・整合出来る。
【０１３８】
上記が、後述の最良の実施の形態に合わせた、第2の課題を解決するための手段である。
（３）  第3の課題を解決するための手段：
上記第2で得られた、正しく、洩れ無く、付加が無い本質、即ち、自然現象である植物の葉緑素の炭酸同化作用の本質の中に、人為現象に置き換えれば効率が良くなる部分を見つけ出し、この部分を効率が良い人為現象に置き換え、人為的な澱粉合成装置を構成する。
【０１３９】
上記の詳細は、発明を実施するための最良の形態に記載する。
【発明の効果】
【０１４０】
本発明の効果は、
（１）第2世代の自然科学が、前以て、感知・思考・理解・構成して置いた、宇宙に充
満している最小複合粒子の基本仮定群と、（３０+α）種類の宇宙の構成要素の基本仮定群と、（5+β）種類の核力の基本仮定群とが、平衡状態で釣り合っている事のみを条件に、単純・必然的な決まり事として作用する遺伝子群、遺伝作用群として機能し、宇宙の総ての現象・エネルギ・物質を構成するとの基礎仮定を前提にして、
（２）前記の基本仮定群を使用して、観測出来ない部分を有する物象の観測出来る部分
の本質と、観測出来ない部分の本質とを構成する、基本仮定群の組み合わせを、感知・思考・理解・構成し、両者の基本仮定群の組み合わせを併せて、修正・整合して、観測出来ない部分を有する物象全体の本質を構成する基本仮定群の組み合わせを感知・思考・理解・構成する事が出来、
（３）感知・思考・理解・構成した上記物象全体の本質を調べて、効率を改善するべき
部分を見付け、この部分を、同じ作用を有して効率がより良い部分に替える事により、前記の物象をより良い効率で使用出来る事である。
【０１４１】
言い換えると、本発明の効果は、第2世代の自然科学が、前以て、感知・思考・理解して構成した、宇宙に充満している最小複合粒子の基本仮定群、（３０+α）種類の宇宙の構成要素の基本仮定群、（５+β）種類の核力の基本仮定群を使用して、観測出来ない部分を有する任意の物象を、観測出来る物象しか説明出来ない第1世代の自然科学の限界を超えて、改善出来る事である。
【０１４２】
従って、第1世代の自然科学を使用して研究し尽くしたが、関係する物象の本質が判らないために残っている問題点を解決する場合に、本発明の効果が大きい。
【発明を実施するための最良の形態】
【０１４３】
（重要事項）  本発明は、第1世代の自然科学とその技術では、如何に努力しても、観測出来ない部分、理解出来ない部分が残って、どうにもならない問題点の解決に適している。
【０１４４】
ここに記載の本発明を実施するための最良の形態は、従来はその本質を理解出来なかった観測出来ない部分を有する任意の物象を、その本質を理解し、その効率を改善して使用する例として、光と葉緑素とによる炭酸同化作用を構成する、通常の光・レーザー光の本質、原子間結合の本質、葉緑素の本質、炭酸同化作用の本質を理解し、主として、光量が小さい通常の光を光量が大きく常温であるレーザー光に増量する光増量器を設ける事により、触媒が残らず食用可能（家畜の飼料、養殖漁業の飼料にする。）な合成澱粉・蛋白質・脂肪の人為的量産が可能な、合成装置を構成する方法である。
【０１４５】
本発明の開発途上で流体技術に限定して出願した前述の特願２００６−１３２０の第2種永久運動機関と、本発明の食用可能な合成澱粉・蛋白質・脂肪の量産技術とを組み合わせれば、人類のエネルギ問題と食料問題とを解決して、人類と地球とを、豊かで、平和で、幸せに出来る。
【０１４６】
以下に、本発明を実施するための最良の形態を説明する。
（１）第1段階：
第1段階は、課題を解決するための手段の欄の第1段階に、最小複合粒子の構造・      組成・機能の基本仮定群、（３０+α）種類の宇宙の構成要素の基本仮定群、（５      +β）種類の核力の基本仮定群として記載してある。これらに記載していない事項      は、以下に、必要に応じて、説明する。
（２）第2段階：
第2段階では、上記の基本仮定群を使用して、植物の葉緑素による炭酸同化作用の      
本質を感知・思考・理解・構成する。
【０１４７】
特願２００６−１３２０の流体を使用した第2種永久運動機関を研究開発した経験から判断して、植物の葉緑素による炭酸同化作用の本質は下記のようになる。
【０１４８】
１）  植物の遺伝子とその作用に関する第2世代の自然科学の常識：
１  遺伝子、遺伝作用、原料、エネルギ：
葉緑素は炭酸同化作用の遺伝子であるが、植物では、各部分の構造が、遺伝子であり、そのクローンとして、各部分の構造と同じ構造が構成されている。植物は、その部分を構成する原料を溶かした水が或る温度以上で循環する事を条件にして、各部分毎に遺伝作用が機能して、各部分の構造を構成し生命を維持している。植木屋が木の枝を剪定しても、木は平気であり、健康になり、接ぎ木、挿し木が可能なのは、このためである。人間でも頭脳の作用が関係しない不随意臓器は、植物のこの機能と同じ機能を持っている。その根拠は、言い難い事であるが、人間は、頭脳が機能しない脳死状態になると、植物人間になり、人間としての機能を失っても、不随意臓器の遺伝作用（決まり事を処理する機能）だけで生物としての機能を、植物と同じようにして、維持出来る事である。
【０１４９】
上記のように、植物の遺伝作用は、温度、即ち、エネルギに左右される。植物が春夏秋冬で四季の変化をするのは、温度（エネルギ）によって、遺伝作用が変わるからである。熊の冬眠も、その臓器の遺伝作用の温度変化による。
【０１５０】
植物の葉緑素による炭酸同化作用の本質を理解するには、ａ遺伝子（葉緑素）、ｂ遺伝作用（決まり事）、ｃ原料（水、炭酸ガス）、ｄエネルギ（温度、光）が、水分子と炭酸ガス分子とを、水素原子Ｈと、酸素原子Ｏと、炭素原子Ｃとに分解し、これらを炭化水素に合成する作用の本質を、最小複合粒子と宇宙の構成要素と核力の基本仮定群を使用して、感知・思考・理解・構成すれば良い。
【０１５１】
２  基本的な考え方：
宇宙の総ては、最小複合粒子、宇宙の構成要素、核力の基本仮定群の、単純・必然的な組み合わせで構成されている第2種永久運動なので、原子間結合も、必然的に、同じ第2種永久運動である。従って、第2種永久運動である原子間結合のエネルギは、必然的に、宇宙の構成要素である宇宙の第1基礎エネルギ源の場（宇宙に充満する最小複合粒子が、宇宙の中心を座標の原点として構成する3次元万有引力の場）の位置決め作用である。
【０１５２】
そして、葉緑素、水、炭酸ガス、光、温度は観測可能な部分であり、宇宙の第1基礎エネルギ源の場の位置決め作用の本質、光・レーザー光の本質、原子間結合エネルギの本質などは観測出来ない部分である。
【０１５３】
３  原子間結合エネルギ：
原子間結合エネルギは、下記のエネルギその１、その2、その3の組み合わせであり、この組み合わせで、宇宙の総ての原子間結合を、統一して説明出来る。
【０１５４】
イ．原子間結合エネルギその１：
（ａ）機能：
エネルギその１は、原子間結合しようとする原子、又は、既に原子間結合している原子群を、原子間結合する距離にまで近づけて結合し、更に、各種の外力に抗してその結合を維持するエネルギである。
【０１５５】
植物内では、原子間結合に関係する物象は、前述の宇宙の構成要素が総て平衡状態にある時には、動きは無いが、平衡状態にあることは顕在化し得るエネルギを持っている状態である。即ち、平衡状態の崩れが、宇宙の基礎エネルギ源の場の歪み量になって、加速度運動を発生する。
【０１５６】
これらの現象の組み合わせが、植物の生命現象であり、これらの現象は、風、光、温度などによって、発生・維持される。
【０１５７】
（ｂ）エネルギ源とその作用：
ａ）エネルギ源は、上記のように、宇宙の第1基礎エネルギ源の場の位置決め作用である。
【０１５８】
ｂ）原子間結合が占有する容積内の宇宙の第1基礎エネルギ源の場が、その原子間結合作用を分担する。
【０１５９】
ｃ）原子間結合している原子、或いは、原子間結合しようとする原子の占有容積の和が最小になる状態で、原子間結合は安定化する。従って、原子間結合する前の占有容積より、原子間結合した後の占有容積が小さくなる。
【０１６０】
ｄ）その原子間結合を維持する結合力は、その原子間結合全体の質量に比例する宇宙の第1基礎エネルギ源の場の位置決め作用の大きさである。
【０１６１】
ｅ）上記ｃ），ｄ）によると、原子間結合には、結合する原子の数が増加する傾向がある事になり、且つ、原子間結合の分解は、より大きな原子間結合の発生との組み合わせがある場合に発生し易い事になる。即ち、炭酸同化作用においては、水分子の分解、炭酸ガス分子の分解は、分解した水素原子Ｈ、炭素原子Ｃが、分解と同時に、炭化水素に結合すると言う条件で、発生する事になる。仮定ではあるが、これらの作用は、作用前から、完全分業体制・完全談合体制・争い０体制に基づいて、3次元方向の釣り合いを通して、談合している事になる。受け皿まで用意する談合をして作用している事になる。多分、完全分業体制・完全談合体制・争い０体制によるこの機能が、生物に環境対応の変化をさせる遺伝子の変化に結びついていると思う。そして、ウイルスの様な単純な生物では、この遺伝子の変化が起こり易く、複雑な（理解出来たら単純の多数の組み合わせになるかも）人間では起こり難いと考えられる。この場合、水分子、炭酸ガス分子を分解させるエネルギ（光のエネルギ）の作用は、必要であるが何も残らない分解の触媒作用であり、結合作用の主体は、宇宙の第1基礎エネルギ源の場の位置決め作用になる。上記が、光の炭酸同化作用の本質である。
【０１６２】
ｆ）上記を総て纏めると、原子間結合は、第2種永久運動であり、原子間結合における結合作用は、ａ．宇宙の基礎エネルギ源の場の平衡状態が良くなり、宇宙の基礎エネルギ源の場の歪み量の総量が小さくなるように作用し、ｂ．結合した後に、結合した総ての原子の結合力が、平衡状態で釣り合っている事を条件にして作用し、ｃ．原子間結合の占有容積が最小になるように作用すると仮定する事で説明出来る。
【０１６３】
ロ．原子間結合エネルギその２：
（ａ）機能：
エネルギその2は、原子間結合の原子間距離と、原子の配置とを決めるエネルギである。
【０１６４】
（ｂ）エネルギ源とその作用：
原子間の総ての相互作用（万有引力、電荷、静電気の作用）の引力と斥力との釣り合いであり、原子間の距離は、全引力・斥力が釣り合う距離である。例えば、金の延性・展性は、エネルギその2の作用位置が、金の原子の表面を自由に移動出来る事で実現し、これ以外では、実現しない。金の原子は球形であり、金の原子間の引力・斥力の中心は金の原子の中心に一致し、金の原子の表面が、エネルギその2が、自由に移動出来るように成っていると思われる。
【０１６５】
（ｃ）安定化条件：
エネルギその2は、原子の位置が、原子間結合の総ての状態において、原子間の引力と斥力とを釣り合わせ、各種の自然法則を満たすと共に、原子間結合の占有容積を最小にする位置に来るように作用し、その位置で安定化する。
【０１６６】
既知の原子間結合を調べると、簡単な原子間結合は、次のエネルギその3で行われているが、同じ原子の大きな結合、小さな同じ原子間結合の大きな結合などの場合には、エネルギその２と、平衡状態の維持と、宇宙の基礎エネルギ源の場の歪み量の最小化と、原子間結合の占有容積の最小化とで、関係する総ての原子間結合が決まっている。
【０１６７】
ハ．原子間結合エネルギその3：
（ａ）機能：
エネルギその３は、原子間結合する原子の種類と数の組み合わせを決めるエネルギである。
【０１６８】
（ｂ）エネルギ源とその作用：
エネルギその３は、エネルギその２が原子価の腕に現れたものであると仮定する。
【０１６９】
（ｃ）原子価の説明：
図1に示す最小複合粒子は、温度に対応する回転数で自転している。この自転で、正負の静電気が発生する。負静電気は、正電気素片と釣り合って質量素片に発生し、正静電気は、負電気素片に発生する。最小複合粒子の構造により、負静電気量が正静電気量より大きくなり、そのままでは、電気的に中性であるべき原子が、電気的に負になる。従って、原子は、中性になる為に、幾つかの電子を放出する。中性になる為に放出した電子の数が、その原子の正原子価である。尚、この原子が結合する原子の数は、この原子の正原子価の数とは限らない、その理由は、上記のエネルギその2の（ｃ）安定化条件の記載による。
【０１７０】
電子を放出していない原子は、必要に応じて、即ち、上記の（ｃ）安定化条件の記載に応じて、所有する電子の数だけ原子間結合する事が出来る。即ち、負原子価は、最小は０、最大は電子の数である。
【０１７１】
上記と下記とで、既知の現象の総てを統一して説明出来る。
【０１７２】
（ｄ）安定化条件：
ａ）結合する事により、その原子間結合の占有容積が小さくなる事、
ｂ）原子間結合の平衡性が維持されている事、
ｃ）原子間結合による宇宙の基礎エネルギ源の場の歪み量が最小になる事、
ｄ）結合の腕は、相手の腕との二重結合である事、
ｅ）大気中、真空中などで、静電気が存在・作用する場合には、原子は、静電気の作用を含めて、電子を追い出したりして、電気的に中性になる。この場合、中性と言っても、原子、分子の構造により、（０±α）Ｖがある。これが、各元素、化合物の基準電位であり、接触電位差であり、半導体部品における電位差であり、金属の接触腐食の原因であり、広い範囲の現象を統一して説明できる。
【０１７３】
ｆ）水中などで、静電気が発生・存在しても作用しない場合には、電子を放出した原子は、放出した電子の数の正原子価のイオンになり、電子を放出しない原子は、負原子価のイオンになる。
【０１７４】
そして、上記の安定化条件が満たされれば、下記が成立する。
【０１７５】
ｇ）電子を放出した原子間の結合（金属結晶、炭素原子間の結合など）
ｈ）電子を放出した原子と電子を放出しない原子との結合（炭化水素、酸化物など）
ｉ）電子を放出しない原子間の結合（水素分子、酸素分子など）
エネルギその１、その２、その３の組み合わせと、上記とで、総ての原子間結合を、統一して説明出来る。この場合、原子間結合の構造式が、少し変わります。
【０１７６】
尚、これまでは、原子間結合の発生時には、光、温度、酸、アルカリ、金属、金属塩などの触媒作用が必要である。原子間結合の発生には、その発生時に、原子間結合の分離現象の先行が必要であるが、エネルギその1、その2、その3は結合のエネルギなので、別個の分離エネルギの触媒作用が先行する。
【０１７７】
４  光の本質とエネルギとその作用：
イ．光の本質：
第2世代の自然科学の基本仮定群を使用すると、宇宙には、最小複合粒子が            
充満しており、この最小複合粒子は、宇宙の総てを構成する事の一部として、後述の光のエネルギの項に記載する光の最小単位である光ミクロ基礎エネルギ源として作用する。
【０１７８】
光の本質は、質量が無い宇宙の第1、第2基礎エネルギ源の3次元万有引力の場の振動と、質量が有る最小複合粒子の自転、即ち、上記の光ミクロ基礎エネルギ源の自転とが組み合わされた光の波動エネルギである。
【０１７９】
光を構成する宇宙の第1、第2基礎エネルギ源の場の振動は、原子、分子の第2種永久運動である熱振動によって発生する。この場の振動は、その伝播通路の各位置を、その位相を正弦波形で変化させながら通過する。
【０１８０】
各位置における振動の位相の正弦波形の変化は、その位置の最小複合粒子の電気素片を回転軸とする質量素片の自転が構成する3次元万有引力の場の歪み量の変化の波形に一致する。そして、この自転は、質量の回転加速度運動であるので、宇宙の第1、第2基礎エネルギ源からエネルギを供給される第2種永久運動になる。
【０１８１】
従って、質量が無い宇宙の第1、第2基礎エネルギ源の場の振動と、質量が有る最小複合粒子の自転との組み合わせである光の波動エネルギは、第2種永久運動であり、これらの総てのエネルギ源は、宇宙の第1、第2基礎エネルギ源である。
【０１８２】
上記が光の本質であるので、アインシュタインの光の光量子説は間違っている。
【０１８３】
ロ．光のエネルギ：
光のエネルギは、宇宙の第1基礎エネルギ源の場の位置決め作用の平衡流動            
エネルギと、このエネルギに対応する宇宙の第2基礎エネルギ源の場の平衡流動エネルギと、最小複合粒子の質量素片の自転の平衡流動エネルギとを組み合わせた平衡流動エネルギである。
【０１８４】
従って、光のエネルギ密度は、光が通過する位置の宇宙の基礎エネルギ源の場の大きさで変化する。
【０１８５】
太陽系における宇宙の第1、第2基礎エネルギ源の場の大きさは、特願２００６−１３２０に記載のように、地球の重力の大きさｇの約１３０倍、即ち、約１３０ｇである。
【０１８６】
ハ．光の作用：
前述のように、平衡流動エネルギである光の波動エネルギは、光源のエネル            
ギ源である原子、分子の振動のエネルギ源と同じ、宇宙の第1、第2基礎エネルギ源の場のエネルギである。
【０１８７】
従って、光のエネルギは、原子、分子を振動させる事が出来る。光の炭酸同化作用の場合は、太陽の光は、広い範囲の周波数成分を持っているので、原子、分子に振動のエネルギを供給するが、原子、分子の振動数は、原子、分子の固有の振動数である。
【０１８８】
原子、分子に振動が発生すると、正負の静電気が発生する。この場合、負静電気が正静電気より多く発生するので、原子間結合している総ての原子の電位が負になり、相互に反撥する。そして、原子間結合の各部分のエネルギは、その原子間結合の全質量に作用する位置決め作用であるので、大きな原子間結合の原子は分離しないが、小さな原子間結合の原子は分離する。この現象が、光の炭酸同化作用を発生する。
【０１８９】
５  植物の炭酸同化作用の本質：
イ．植物の炭酸同化作用の具体的な構成要素：
（ａ）遺伝子：葉緑素
遺伝子である葉緑素の原子間結合は、炭化水素部分の原子間結合に酸素原        
子Ｏ、窒素原子Ｎなどが結合している。葉緑素と光とによる植物の炭酸同化作用は、葉緑素の遺伝作用として、葉緑素のクローンを発生させるので、発生するのは、純粋の炭化水素ではなく、酸素原子Ｏ、窒素原子Ｎ、硫黄原子Ｓなどの原子間結合を含んでいる炭化水素である。
【０１９０】
植物は、植物に必要な総ての物質を、ここで発生し、水と共に循環させて、必要な場所で、固定していると仮定する。この固定は、固定する場所の構造成分そのものが遺伝子に成っていて、自分のクローンとして固定する事によると仮定する。植物の種子は、子孫のエネルギ、養分付の遺伝子である。人間などの温血動物の遺伝子には、寿命を決めるエネルギ部分がある筈である。
【０１９１】
（ｂ）構成要素：水、炭酸ガス、根から吸収した肥料成分、分解して発生した、        
水素原子Ｈ、酸素原子Ｏ、炭素原子Ｃ、窒素原子Ｎ，硫黄原子Ｓ
（ｃ）エネルギ：温度、光
温度は、炭酸同化作用の活性度を決め、四季の変化を構成する。熊の冬眠        
も、温度による遺伝子の活性度の変化による。
【０１９２】
ロ．植物の炭酸同化作用の本質：
広い周波数範囲を有する太陽光が植物の葉に当たると、太陽光は、葉緑素で            
止まって、全エネルギを葉緑素に供給する。
【０１９３】
太陽光のエネルギを受けた葉緑素は振動するが、その振動数は、太陽光の周波数ではなく、葉緑素の原子間結合を構成する各原子の固有振動数で、各原子が振動する。
【０１９４】
従って、葉緑素を構成する、水素原子Ｈ、酸素原子Ｏ、炭素原子Ｃ、窒素原子Ｎ、硫黄原子Ｓの夫々の固有振動数は、これらの近くの水の中に存在する、水素原子Ｈ、酸素原子Ｏ、炭素原子Ｃ、窒素原子Ｎ、硫黄原子Ｓに直接に効率良く伝わり、これらの原子をその固有振動数で振動させる。
【０１９５】
この振動は、各原子に正負の静電気を発生させる。この場合、負静電気の発生量が正静電気の発生量より多いので、各原子は負電位になって、反撥し合う。原子間結合のエネルギは、その原子間結合の全質量に作用する宇宙の第1基礎エネルギ源の場の位置決め作用であるので、葉緑素の原子間結合のエネルギは大きく、水、炭酸ガスなどの原子間結合のエネルギは小さい。それで、葉緑素はそのまま振動を続けるが、水、炭酸ガスなどは、水素原子Ｈ、酸素原子Ｏ、炭素原子Ｃ、窒素原子Ｎ、硫黄原子Ｓなどに分解する。
【０１９６】
これらの原子は、前記３の原子間結合エネルギの項の記載に従って、原子間結合する。前記3の記載を辿れば、これらの原子は、葉緑素のクローンとして原子結合する事が判る。
【０１９７】
上記の総てが、植物の炭酸同化作用の本質である。
【０１９８】
この場合の問題点は、炭化水素などが確実に光合成されるが、効率が極めて悪い事である。
（３）第3段階：
第3段階は、第2段階で感知・思考・理解・構成した自然現象である植物の葉緑素      
による炭酸同化作用の総ての部分の本質を調べて、その一部を、より良い構成に変える事により、即ち、太陽光を、人為的なレーザー光に変える事により、人為的な合成澱粉の量産を実現する段階である。
【０１９９】
１）変更点の決定：
上記の植物の炭酸同化作用の本質を調べれば、その一部をより良い構成に変える        
のは、太陽光を低温で高密度の人為的レーザー光に変える事である。
【０２００】
この変更は、第1世代の自然科学では不可能であるが、第2世代の自然科学の基本仮定群を使用して、光の本質、レーザー光の本質を感知・思考・理解・構成すれば、下記のように、単純・必然的に、可能になる。これが、本発明の、基本仮定群と、感性・思考力・理解力・構成力との組み合わせの効果である。
【０２０１】
２）光の本質と、レーザー光の本質：
１  光の本質：
光の本質は、上記の４の光の本質とエネルギとその作用の項に記載の通りであ    
る。これを纏めると、
イ．通常の光の波動エネルギの最小単位は、光の通路に存在する最小複合粒子が            
光の方向に光量を満たす列数だけ並び、各列毎に、正負の電気素片が光の方向に対して直角方向に向いて自転軸になり、この自転軸の周囲を質量素片が光の周波数で自転している最小複合粒子の列の中の一列である。そして、正負の電気素片の方向は、３６０度の方向に均一に分布している。
【０２０２】
ロ．通常の光では、その光の構成に関係している最小複合粒子の数は、光が通過            
している空間に実際に存在する最小複合粒子の極一部に過ぎない。
【０２０３】
ハ．通常の光は、固体の表面、即ち、気体の中で発生する。その理由は、通常の            
固体内では、その内部に存在する最小複合粒子の正負の電気素片の方向が、総て、固体内の原子・分子の配置による固有の電界と釣り合っているので、通常の固体内の最小複合粒子は、条件が揃えば第2種永久運動である光の波動エネルギを通過させる事はあるが、光の波動エネルギを発生出来ない事である。
【０２０４】
ニ．通常の光は、気体内で発生するので、光の波動エネルギのエネルギ源は、気            
体内の宇宙の第1基礎エネルギ源の場の位置決め作用であり、エネルギ密度は小さい。
【０２０５】
２  レーザー光の本質：
イ．レーザー光の波動エネルギの最小単位は、レーザー光の通路に存在する総て            
の最小複合粒子がレーザー光の方向に列を作って並び、総ての列で、正負の電気素片が一定方向に並び、且つ、一定数の列の組毎に、正負の電気素片の向きが逆向きになって平衡性が取れている最小複合粒子の列の中の一列である。即ち、レーザー光は、正負の電気素片の方向が一方向である偏光である。
【０２０６】
ロ．レーザー光では、そのレーザー光の構成に関係している最小複合粒子の数は            、
レーザー光が通過している空間に実際に存在している最小複合粒子の総てである。
【０２０７】
ハ．レーザー光は、レーザー光発光素子の固体内、即ち、光軸内で発生する。第            2
世代の自然科学の基本仮定群を使用して感知・思考・理解・構成すると、光軸は、光軸に平行な結晶平面で構成されており、これらの結晶平面は、正負交互の電荷を持っており、そこに存在する総ての最小複合粒子の正負の電気素片の方向を、一方向に揃えており、隣接する結晶平面毎に、正負の電気素片の向きが逆になって、平衡が取れている。
【０２０８】
ニ．レーザー光は、固体内で発生するので、レーザー光の波動エネルギのエネル            
ギ源は、固体内の宇宙の第1基礎エネルギ源の場の位置決め作用であり、エネルギ密度が大きい。
【０２０９】
ホ．上記ロ、ニにより、レーザー光の波動エネルギは非常に大きくなり、高温度            
になる。
【０２１０】
３）植物の炭酸同化作用を模倣した澱粉、蛋白質、脂肪の合成装置の開発：
上記の合成装置を開発する為に、前述のようにして、植物の炭酸同化作用の総て        
の部分の本質を、第2世代の自然科学の基本仮定群を使用して、感知・思考・理解・構成した結果から判明した改善必要事項は、下記のように、光増量器の開発である。光量を、光の通路に存在する最小複合粒子の総てが光の波動エネルギの構成に関与するように常温で増量する光増量器を開発すれば、植物の葉緑素による炭酸同化作用を模倣した、澱粉、蛋白質、脂肪の合成装置を開発出来る。
【０２１１】
１  光増量器の検討：
第2世代の自然科学が示す、通常の光、レーザー光の本質の総てを、上記のように、正しく、洩れ無く、付加無く感知・思考・理解・構成すれば、どのような光増量器を作り、通常の光をどのように増量すれば、常温で高密度のレーザー光になるかを判断する事が出来る。
【０２１２】
イ．光増量器：
（ａ）構想：
ａ）光増量器９の必要条件：
ａ  通常の光源で、光路に存在する最小複合粒子の一部のみが光の波動エネルギの構成に関与している通常の光線を発生させる。
【０２１３】
ｂ  上記ａ記載の通常の光線を、光路に存在する最小複合粒子の総てが光の波動エネルギの構成に関与するようにする。
【０２１４】
ｃ  宇宙の第1、第2基礎エネルギ源の場のエネルギ密度を、発光源を気体内にする事により、通常の光線のエネルギ密度にして、常温のレーザー光になるようにする。
【０２１５】
ｂ）光増量器９の説明：
ａ  構造：
光増量器９と合成用水槽７を図２、図３に示す。
【０２１６】
図２の１は、光の流入口と流出口とをガラス、プラスチックのような透明性が良い材料で作った直方体真空箱である光増量手段１である。これの大きさ、形は、澱粉、蛋白質、脂肪の合成装置に合った任意の形を選ぶ事が出来る。
【０２１７】
図3は、光増量器９、合成用水槽７の全体構成を示す図である。１は平行に複数並べた光増量手段、２は通常の光線の光源、
３は整光レンズ、４ａは正電極、４ｂは負電極、５は電源、６はカラーフィルタ、７は合成用水槽、７ａはその流入口、７ｂは流出口、８は光増量部、９は光増量器である。
【０２１８】
ｂ  動作：
図3において、光源2から出た通常の光線は、カラーフィルタ３を通過して周波数範囲が狭くなる。この通過光線は、レンズ３で平行光線になる。この平行光線は、光増量手段１に入射する。
【０２１９】
複数の光増量手段1は、夫々が、正電極４ａと負電極４ｂとに、交互に挟まれて、平行に並んでいる。この場合の電極間の電位差は、光増量手段1内で、総ての最小複合粒子の正負電気素片を、それらの方向を電界方向に揃えて、一方向に並ばせる最低電位差以上である。従って、両側面が平行である光増量手段1内では、真空になっていて自由に動ける総ての最小複合粒子は、夫々の正負電気素片を、電界の方向に向けて、正負電気素片を軸にしてその温度の回転数で自転している。
【０２２０】
第2世代の自然科学の基本仮定群によると、最小複合粒子は、光の波動エネルギの最小単位である光ミクロ基礎エネルギ源であるから、光増量手段１内では、総ての光ミクロ基礎エネルギ源が、方向を揃えて自転している。そして、この自転は、質量素片の回転加速度運動であるので、この自転は、そのエネルギを総て、宇宙の基礎エネルギ源の場から供給される第2種永久運動である。但し、夫々の自転の回転位相がバラバラであるので、マクロ光の光源にはなっていない。
【０２２１】
この状態の光増量手段1内に、前記の一部の最小複合粒子しか関与していない平行光線が入射すると、光増量手段1内では、先ず、一部の光ミクロ基礎エネルギ源の位相が揃い、次いで、位相が揃う光ミクロ基礎エネルギ源の数が増加して、直ぐに、総ての光ミクロ基礎エネルギ源の自転の位相が揃い。空間に存在する総ての最小複合粒子が光の波動エネルギに関与するようになり、光量が、極限まで大きく増量する。そして、光源は光増量手段1の真空内にあり、宇宙の第1、第2基礎エネルギ源の場のエネルギ密度が小さいので、光増量された光線は、常温で高密度のレーザー光になる。これは、照明機器の光源にも適している。
【０２２２】
（重要事項）  第2世代の自然科学では、宇宙の総ての現象・エネルギ・物質は、加速度運動座標と回転座標とが複合した複合加速度運動座標系であるとしている。ここで、光も、複合化速度運動座標系である事を説明する。
【０２２３】
光の本質は、前述のように、原子、分子の熱振動を発生エネルギ源とする最小複合粒子の自転であり、この場合、光の通路に存在する最小複合粒子が、光路の方向に光量に比例する列数だけ並んで、その質量素片を光路の方向に光の周波数で自転させている。この１列が光の最小単位である。
【０２２４】
従って、最小複合粒子の質量素片の自転は、回転座標である。加速度運動座標は、この回転座標に垂直な方向に存在する筈であり、最小複合粒子の正負電気素片の配向が、加速度運動座標である。但し、この場合、通常の光線では、1列の中で、隣接する最小複合粒子の正負電気素片が反対方向を向いて完全に平衡しており、レーザー光では、最小複合粒子の正負電気素片は、隣接する同じ数の組み合わせが、反対方向を向いて組み合わさって、完全に平衡しているので、これらは、この状態を維持する作用を有するだけであるので、外部に対する作用は存在せず観測出来ない。不平衡エネルギしか扱えない第1世代の自然科学は、この状態をエネルギ０の状態としている。しかし、平衡流動エネルギを扱う第2世代の自然科学は、この状態をエネルギの存在状態としている。言い換えると、正負電気素片の組み合わせは、その方向に正負の加速度運動を発生させるエネルギを有し、間違いなくその方向に加速度運動を発生させているが、それらの2つが逆方向に組み合わさって、打ち消し合っている。しかし、この釣り合いは、何も無いのとは異なる一種のエネルギ状態、即ち、宇宙の基礎エネルギ源の場の状態であり、この釣り合いの崩れが平衡流動エネルギになる。この事を理解して考えないと、宇宙の本質は判らない。
【０２２５】
即ち、光の波動エネルギは、宇宙の第1基礎エネルギ源の場の位置決め作用と、最小複合粒子の質量素片の自転の回転座標と、最小複合粒子の正負電気素片の加速度運動座標とを組み合わせた複合加速度運動座標系であるが、質量素片の自転は、回転加速度運動なので、総てのエネルギが、宇宙の基礎エネルギ源から供給される。しかし、正負電気素片の方向を揃える電界は、人為的な光を構成する場合には、人為的に供給・維持する必要がある。上記の光増量器９は、これらの条件に一致している。
【０２２６】
ｃ）合成用水槽７の説明：
ａ  構造：
合成用水槽7は、光を通過させる部分は、ガラス、プラスチックなどの光の透過性が良い材料で出来ている。上部に流入口７ａがあり、下部に流出口７ｂがある。
【０２２７】
ｂ  合成用水槽７の動作：
水を、流入口７ａから入れ、流出口７ｂから出す。
【０２２８】
この水には、先ず、目的の合成物質の微量を、種、即ち、遺伝子として加え、次いで、合成作用で添加・置換・結合させる元素の分子量の小さな化合物を加える。尚、この水は、分解して水素原子Ｈ、酸素原子Ｏを供給する原料の一部である。
【０２２９】
合成澱粉の場合は、水に、遺伝子として、目的の澱粉を加え、添加・置換・結合させる炭素原子Ｃの分子量の小さな化合物として、炭酸ガスを加える。
【０２３０】
合成蛋白質の場合は、水に、遺伝子として、目的の蛋白質を加え、添加・置換・結合させる炭素原子Ｃ、窒素原子Ｎ、硫黄原子Ｓの分子量の小さな化合物を加える。
【０２３１】
合成脂肪の場合は、水に、遺伝子として、目的の脂肪を加え、添加・置換・結合させる炭素原子Ｃ、酸素原子Ｏの分子量の小さな化合物として、炭酸ガスを加える。
【０２３２】
ｄ）水槽内の分解・合成反応：
ａ  分解反応：
遺伝子による分解作用：
遺伝子である澱粉、蛋白質、脂肪の分子である原子間結合が、上記の光増量したレーザー光の平行光線が入射する事により、振動する。この場合、遺伝子の振動は、各原子毎に、その原子の固有振動数で振動する。この固有振動は、同じ固有振動数を有して、遺伝子の周囲に存在する同じ種類の原子に作用する。この場合、遺伝子は分子量が大きく、原子間結合力である宇宙の第１基礎エネルギ源の場の位置決め作用が大きいので、遺伝子は分解せずに振動するが、添加・置換・結合させる原子の分子量の小さな化合物は、原子間結合力である上記の位置決め作用が小さいので、分解して、添加・置換・結合させる単体原子またはより小さな原子間結合が発生する。
【０２３３】
遺伝子による合成作用：
前述のように、原子間結合は、エネルギその１、その２、その３の組み合わせと、原子間結合に関係する宇宙の構成要素の平衡性の存在とで発生する。
【０２３４】
上記によると、この原子間結合の発生条件が、遺伝子の周囲に存在する。
【０２３５】
遺伝子の周囲には、遺伝子である澱粉、蛋白質、脂肪を構成するに充分な種類と量の原子またはより小さな原子間結合が存在するので、遺伝子の周囲で、遺伝子のクローンとしての合成澱粉、合成蛋白質、合成脂肪が合成される。
【０２３６】
実用化の初期には、動物園、水族館の飼料、畜産業の飼料、養殖漁業の飼料として使用する。
【０２３７】
使用する光線が、光路に存在する総ての最小複合粒子が関与している光線なので、生産量を大きくする事が出来、経済性を満たす事が出来る。
【０２３８】
本実施の形態では、水を使用したが、合成物の原料が液体または気体であれば、その液体または気体を使用し、これに、添加・置換・結合させる原子の分子量の小さな化合物を加える事が可能である。
【産業上の利用可能性】
【０２３９】
本発明は、第2世代の自然科学が、全宇宙の現象・エネルギ・物質の総てを洩れ無く総て構成し得るものとして、前以て、感知・思考・理解・構成している、最小複合粒子、（３０+α）種類の宇宙の構成要素、（５+β）種類の核力などの基本仮定群を使用して、観測出来ない部分を有する任意の物象の本質の総てを理解し、その物象の一部をより効率が良い部分に変更して、その物象を使用する方法の発明なので、観測出来ない部分を有する物象を使用している総ての産業において、広い範囲での問題点の解決、能率改善、新製品開発などに利用可能である。
【０２４０】
本発明を実施するための最良の形態が示す例は、通常の光源で発生した通常の光線の光量を第2種永久運動で極限にまで増量し、同時に通常の光線を偏光に変更する方法の実用例であり、合成化学産業、薬品製造産業において、増量した光線の作用により触媒が不要になり、製品に触媒が残留せず、食料、薬品に適した合成方法が可能になる。叉、半導体産業において、光路の面積が広い偏光が得られる事を利用して、偏光の新用途を開発する事が出来、電子回路成型において、細密回路を高精度で能率良く露光出来る。又、照明産業において、小さなエネルギで、第2種永久運動により、大量の光線を発生出来る。
【図面の簡単な説明】
【０２４１】
【図１】最小複合粒子の構造を示す図である。
【図２】光増量手段の構造を示す図である。
【図３】光増量器と合成用水槽の全体構成を示す図である。
【符号の説明】
【０２４２】
Ａ  最小複合粒子
Ｂ  線対称軸
Ｃ１、Ｃ２  質量素片
Ｄ１  正電気素片
Ｄ２  負電気素片
１  光増量手段
２  通常の光線の光源
３  レンズ
４ａ  正電極
４ｂ  負電極
５  電源
６  カラーフィルタ
７  合成用水槽
７ａ  流入口
７ｂ  流出口
８  光増量部
９  光増量器
【図１】
2007330063.tif 000003
【図２】
2007330063.tif 000004
【図３】
2007330063.tif 000005